(57)【要約】【課題】画像読取部が媒体の画像を精度高く読み取り可能な画像読取装置を提供する。【解決手段】本発明の画像読取装置１は、本体部３と画像読取部５とを備えている。画像読取部５は、本体部３の上部に設けられている。画像読取部５は、プラテンガラス５１と、支持部材５５Ａ〜５５Ｄとを有している。本体部３は、第１区画壁１３Ｂを有している。第１区画壁１３Ｂは、高さ方向に延びており、本体部３を奥行き方向に沿って区画する。支持部材５５Ａ〜５５Ｄは、第１区画壁１３Ｂの上側に設けられ、支持部材５５Ａ〜５５Ｄの下部は、第１区画壁１３Ｂの上部に当接している。【選択図】図６
2020162074.tif 000002
【特許請求の範囲】
【請求項１】
幅方向と、前記幅方向に直交する高さ方向と、前記幅方向及び前記高さ方向に直交する奥行き方向と、に延びる本体部と、
媒体が載置されるプラテンガラスと、前記プラテンガラスを支持する支持部材とを有し、前記本体部の上部に設けられる画像読取部と、
を備え、
前記本体部は、
前記高さ方向に延び、前記本体部を前記奥行き方向に沿って区画する第１区画壁、を有し、
前記支持部材は、前記第１区画壁の上側に設けられ、前記支持部材の下部は、前記第１区画壁の上部に当接している、
ことを特徴とする画像読取装置。
【請求項２】
前記画像読取部は、
更に、
前記プラテンガラスに対して前記高さ方向に直交する前記幅方向に移動しつつ、前記媒体の画像を読取画像な読取センサと、
前記幅方向に延伸し、前記読取センサを前記幅方向に沿って案内する案内部と、
を有し、
前記本体部は、
更に、
前記高さ方向に延び、前記本体部を前記奥行き方向に沿って区画する第２区画壁、を有し、
前記第２区画壁の上部は、前記案内部の一部と当接すること、
を特徴とする請求項１記載の画像読取装置。
【請求項３】
前記幅方向に延びて前記第１区画壁と前記第２区画壁とを接続する接続部材が設けられている請求項２記載の画像読取装置。
【請求項４】
前記本体部には、シートに画像を形成する画像形成部が設けられ、
前記本体部の前記第１区画壁と前記第２区画壁との間の領域には、前記シートが載置されるとともに、載置された前記シートを前記画像形成部に給紙するシート給紙部が設けられている請求項２又は３記載の画像読取装置。
【請求項５】
前記画像形成部は、前記領域の前記奥行き方向における後方側に配置されている請求項４記載の画像読取装置。
【発明の詳細な説明】
【技術分野】
【０００１】
本発明は画像読取装置に関する。
【背景技術】
【０００２】
特許文献１に従来の画像読取装置が開示されている。この画像読取装置は、画像読取部と、画像出力部と、一対の支持部とを備えている。画像読取部は、画像出力部の上部に設けられている。なお、同文献では記載がないものの、一般的に画像読取部は、原稿等の媒体を載置するプラテンガラスを有している。画像出力部は、一対の側壁を有している。各支持部は、画像出力部の各側壁にそれぞれ取り付けられている。
【０００３】
この画像読取装置では、画像読取部の両端が各支持部によってそれぞれ支えられることにより、画像読取部の自重による変形を抑制することが可能となっている。
【先行技術文献】
【特許文献】
【０００４】
【特許文献１】特開２００５−３５４５７３号公報
【発明の概要】
【発明が解決しようとする課題】
【０００５】
上記従来の画像読取装置では、画像の読み取りを行うに当たって使用者がプラテンガラスに媒体を押圧した際、プラテンガラスには、使用者の押圧力によって、局所的な力が加わる。しかし、この画像読取装置において、画像形成部の両側壁に設けられた支持部では、プラテンガラスに加わる使用者の押圧力を受け止めることが困難である。このため、この画像読取装置では、プラテンガラスを含め画像読取部に撓みが生じることで、画像読取部が媒体の画像を精度高く読み取り難い。
【０００６】
本発明は、上記従来の実情に鑑みてなされたものであって、画像読取部が媒体の画像を精度高く読み取り可能な画像読取装置を提供することを解決すべき課題としている。
【課題を解決するための手段】
【０００７】
本発明の画像読取装置は、幅方向と、前記幅方向に直交する高さ方向と、前記幅方向及び前記高さ方向に直交する奥行き方向と、に延びる本体部と、
媒体が載置されるプラテンガラスと、前記プラテンガラスを支持する支持部材とを有し、前記本体部の上部に設けられる画像読取部と、
を備え、
前記本体部は、
前記高さ方向に延び、前記本体部を前記奥行き方向に沿って区画する第１区画壁、を有し、
前記支持部材は、前記第１区画壁の上側に設けられ、前記支持部材の下部は、前記第１区画壁の上部に当接している、
ことを特徴とする。
【０００８】
本発明の画像読取装置では、支持部材の下部と第１区画壁の上側とが当接する。これにより、媒体の画像の読み取りを行うに当たり、使用者が媒体をプラテンガラスに向けて押圧しても、プラテンガラスに加わる使用者の押圧力を支持部材及び第１区画壁、すなわち、支持部材及び本体部が好適に受け止めることができる。このため、この画像読取装置では、使用者の押圧力によって、プラテンガラスに局所的な力が加わっても、プラテンガラスを含め画像読取部に撓みが生じ難い。
【０００９】
したがって、本発明の画像読取装置では、画像読取部が媒体の画像を精度高く読み取り可能である。
【図面の簡単な説明】
【００１０】
【図１】実施例の画像読取装置の正面図である。
【図２】実施例の画像読取装置の上面図である。
【図３】実施例の画像読取装置に係り、第１本体を示す斜視図である。
【図４】実施例の画像読取装置に係り、図１のＡ−Ａ断面を示す断面図である。
【図５】実施例の画像読取装置に係り、図１のＢ−Ｂ断面を示す断面図である。
【図６】実施例の画像読取装置に係り、図４のＣ−Ｃ断面を示す断面図である。
【図７】実施例の画像読取装置に係り、図６のＹ１部分を示す要部拡大断面図である。
【図８】実施例の画像読取装置に係り、図６のＹ２部分を示す要部拡大断面図である。
【発明を実施するための形態】
【００１１】
以下、本発明を具体化した実施例を図面を参照しつつ説明する。
【００１２】
（実施例）
＜全体構成＞
図１及び図２に示すように、実施例の画像読取装置１は、本発明の画像読取装置の具体的態様の一例である。画像読取装置１は、画像形成部３３を有する本体部３と、画像読取部５と、カバー７と、操作パネル部９と備えている。
【００１３】
図１では、排出口２１が配置される側を画像読取装置１の前方と規定し、排出口２１に向かった場合に左に来る側を左方と規定して、左右方向及び上下方向を表示する。また、図２では、図１に対応して、左右方向及び前後方向を表示する。左右方向、前後方向及び上下方向は、互いに直交している。左右方向は、本発明における幅方向の一例である。上下方向は、本発明における高さ方向の一例である。前後方向は、本発明における奥行き方向の一例である。そして、図３以降の各図に示す各方向は、全て図１及び図２に示す各方向に対応させて表示する。以下、図１等に基づいて、画像読取装置１が備える各構成要素について説明する。
【００１４】
＜本体部の構成＞
本体部３は、図３に示す第１本体１１と、図５及び図６に示す第２本体１３とを有している。図３に示すように、第１本体１１は、上壁１１Ａと、左側壁１１Ｂと、右側壁１１Ｃと、背面壁１１Ｄとを有している。
【００１５】
上壁１１Ａは、第１本体１１の上部に位置しており、左右方向及び前後方向に延びている。上壁１１Ａには、固定部１５と、ケーブル保持部１６とが形成されている。固定部１５は、上壁１１Ａにおける左前方に配置されている。固定部１５は、図１及び図２に示す操作パネル部９を固定可能となっている。ケーブル保持部１６は、上壁１１Ａの左端であって、固定部１５よりも後方に配置されている。ケーブル保持部１６は、上壁１１Ａに一体に形成されており、上壁１１Ａから上方に向かって延びている。ケーブル保持部１６は、互いに対向する１対の立壁状をなしており、図示しない接続ケーブルを保持可能となっている。また、上壁１１Ａには、第１〜４支持壁５５Ａ〜５５Ｄと、センサ室５７と、案内リブ５９とが形成されている。なお、第１〜４支持壁５５Ａ〜５５Ｄ、センサ室５７及び案内リブ５９についての詳細は後述する。
【００１６】
左側壁１１Ｂは、第１本体１１の左端に位置している。左側壁１１Ｂは、上下方向に延びており、上端で上壁１１Ａと一体をなしている。また、左側壁１１Ｂは、第１本体１１の前端から後端まで延びている。ここで、左側壁１１Ｂは、前端部分が第１本体１１の右方向に回り込む形状をなしている。右側壁１１Ｃは、第１本体１１の右端に位置している。右側壁１１Ｃは、上下方向に延びており、上端で上壁１１Ａと一体をなしている。また、右側壁１１Ｃは、第１本体１１の前端から後端まで延びている。こうして、右側壁１１Ｃは、左側壁１１Ｂとの間に空間を設けつつ、左側壁１１Ｂと対向している。背面壁１１Ｄは、第１本体１１の後端に位置している。背面壁１１Ｄは、上下方向に延びており、上端で上壁１１Ａと一体をなしている。また、背面壁１１Ｄは、左端で左側壁１１Ｂと一体をなしており、右端で右側壁１１Ｃと一体をなしている。
【００１７】
図５及び図６に示すように、第２本体１３は、底壁１３Ａと、第１区画壁１３Ｂと、第２区画壁１３Ｃと、第１接続壁１３Ｄと、第２接続壁１３Ｅと、中間壁１３Ｆと、立壁１３Ｇとを有している。第１接続壁１３Ｄ及び第２接続壁１３Ｅは、本発明における「接続部材」の一例である。
【００１８】
底壁１３Ａは、第２本体１３の下端に位置しており、左右方向及び前後方向に延びている。また、図６に示すように、底壁１３Ａの右端には、上方に向かって延びる立ち上り部１３０が設けられている。
【００１９】
第１区画壁１３Ｂは、底壁１３Ａに一体に形成されている。第１区画壁１３Ｂは、底壁１３Ａの左端から右方に離れた位置に配置されている。第１区画壁１３Ｂは、左右方向に屈曲しつつ、底壁１３Ａから上方に向かって延びている。また、図５に示すように、第１区画壁１３Ｂは、第２本体１３の前後方向に延びている。
【００２０】
第１区画壁１３Ｂと同様、第２区画壁１３Ｃも、底壁１３Ａに一体に形成されている。ここで、図６に示すように、第２区画壁１３Ｃは、底壁１３Ａにおいて、第１区画壁１３Ｂから右方に離れた位置であって、かつ、立ち上り部１３０、すなわち底壁１３Ａの右端よりも左方に離れた位置に配置されている。第２区画壁１３Ｃは、左右方向に屈曲しつつ、底壁１３Ａから上方に向かって延びている。ここで、第１区画壁１３Ｂにおける上下方向の長さと、第２区画壁１３Ｃにおける上下方向の長さとは、等しい長さに設定されている。また、図５に示すように、第２区画壁１３Ｃも、第２本体１３の前後方向に延びている。ここで、第１区画壁１３Ｂ及び第２区画壁１３Ｃの前後方向の長さは、第２本体１３、ひいては、本体部３の前後方向の長さよりも短く設定されている。
【００２１】
第１接続壁１３Ｄは、第２本体１３において、底壁１３Ａよりも上方に配置されている。第１接続壁１３Ｄは、第１区画壁１３Ｂと第２区画壁１３Ｃとの間で左右方向に延びており、第１区画壁１３Ｂの後方側と第２区画壁１３Ｃの後方側とに接続している。第２接続壁１３Ｅは、第２本体１３において、底壁１３Ａよりも上方であって、第１接続壁１３Ｄよりも前方に配置されている。第２接続壁１３Ｅは、第１区画壁１３Ｂと第２区画壁１３Ｃとの間で左右方向に延びており、第１区画壁１３Ｂの前端と第２区画壁１３Ｃの前端とに接続している。こうして、第１接続壁１３Ｄ及び第２接続壁１３Ｅは、それぞれ、第１区画壁１３Ｂと第２区画壁１３Ｃとを左右方向に接続している。
【００２２】
図６に示すように、中間壁１３Ｆは、第１区画壁１３Ｂと接続しつつ、第１区画壁１３Ｂから左方に向かって延びている。立壁１３Ｇは、中間壁１３Ｆに一体に形成されており、中間壁１３Ｆから上方に向かって延びている。立壁１３Ｇは、第１区画壁１３Ｂよりも左方に離間して配置されている。また、図５に示すように、立壁１３Ｇは、第１接続壁１３Ｄと接続している。
【００２３】
図６に示すように、本体部３は、第１本体１１と第２本体１３とを上下方向に組み付けることによって形成されており、左右方向、上下方向及び前後方向に延びる略箱形状をなしている。そして、第１本体１１の上壁１１Ａは、本体部３の上部に位置しており、左側壁１１Ｂは、本体部３の左端に位置しており、右側壁１１Ｃは、本体部３右端に位置している。また、背面壁１１Ｄは、本体部３の後端、すなわち本体部３の背面に位置している。そして、第２本体１３の底壁１３Ａは、本体部３の下部に位置している。
【００２４】
また、本体部３内では、第１区画壁１３Ｂ及び第２区画壁１３Ｃが上壁１１Ａと当接している。ここで、第１区画壁１３Ｂ及び第２区画壁１３Ｃは、第２本体１３の前後方向に延びている。このため、図５に示すように、第１区画壁１３Ｂ及び第２区画壁１３Ｃは、上壁１１Ａとの間で本体部３内を奥行き方向に沿って区画している。また、第１区画壁１３Ｂと第２区画壁１３Ｃとが左右方向に離間している。これらにより、本体部３内には、第１区画壁１３Ｂと第２区画壁１３Ｃとによって、第１領域３Ａが区画されている。第１領域３Ａは、本発明における「領域」の一例である。また、図６に示すように、本体部３内には、左側壁１１Ｂと第１区画壁１３Ｂとによって、第２領域３Ｂが区画されている。第２領域３Ｂは、本体部３内における左端に位置している。第２領域３Ｂは、中間壁１３Ｆによって、更に上下方向に区画されている。さらに、本体部３内には、右側壁１１Ｃと第２区画壁１３Ｃとによって、第３領域３Ｃが区画されている。第３領域３Ｃは、本体部３内における右端に位置している。つまり、第３領域３Ｃと第２領域３Ｂとの間に、第１領域３Ａが位置している。
【００２５】
また、図１に示すように、本体部３には、インクカバー１７と、フロント壁１９と第１〜４支持脚２３Ａ〜２３Ｄとが設けられている他、図２に示す給紙部２５が設けられている。
【００２６】
インクカバー１７は、本体部３の前方右側に配置されている。詳細な図示を省略するものの、インクカバー１７は、本体部３に対して前方に引き出し可能に取り付けられている。フロント壁１９は、本体部３の前方であって、インクカバー１７の左側に配置されている。フロント壁１９は、左右方向及び上下方向に延びている。また、フロント壁１９には、排出口２１が形成されている。排出口２１は、本体部３内に連通している。インクカバー１７、フロント壁１９及び左側壁１１Ｂの前端部分によって、本体部３の前面が構成されている。
【００２７】
第１〜４支持脚２３Ａ〜２３Ｄは、合成ゴム等の弾性体によって構成されている。図６に示すように、第１〜４支持脚２３Ａ〜２３Ｄは、本体部３の下端、すなわち、底壁１３Ａにおいて、第１、２区画壁１３Ｂ、１３Ｃとは反対側に取り付けられている。第１〜４支持脚２３Ａ〜２３Ｄは、左右方向に所定の間隔を設けて配置されている。ここで、第１〜４支持脚２３Ａ〜２３Ｄのうち、第２支持脚２３Ｂは、底壁１３Ａにおいて、第１区画壁１３Ｂの近傍に配置されている。また、第３支持脚２３Ｃは、底壁１３Ａにおいて、第２区画壁１３Ｃの近傍、つまり、底壁１３Ａを挟んで第２区画壁１３Ｃのほぼ真下に配置されている。図２に示すように、給紙部２５は、背面壁１１Ｄに取り付けられている。
【００２８】
さらに、図１、図５及び図６等に示すように、本体部３には、給紙トレイ２７と、電源装置２９と、インク３１と、画像形成部３３とが設けられている。給紙トレイ２７は、本発明における「シート給紙部」の一例である。なお、図１等では、説明を容易にするため、電源装置２９、インク３１及び画像形成部３３の各形状を模式化して図示している。同様に、図５及び図６では、給紙トレイ２７の形状を簡略化して図示している。
【００２９】
給紙トレイ２７には、シートＳＨが載置される。図１に示すように、給紙トレイ２７は、本体部３の前面であって、フロント壁１９の下方に配置されており、本体部３に収容可能となっている。図６に示すように、給紙トレイ２７は、本体部３に収容されることにより、本体部３内において、第１領域３Ａに配置される。この状態で、給紙トレイ２７は、自己に載置されたシートＳＨを画像形成部３３に給紙することが可能となっている。また、図５に示すように、給紙トレイ２７は、本体部３に対して前方に引き出すことにより、第１領域３Ａから取り出すことが可能となっている。
【００３０】
電源装置２９は、本体部３内において、第２領域３Ｂに収容されている。電源装置２９は、画像形成部３３の他、画像読取部５や操作パネル部９等に電力を供給する。インク３１は、本体部３内において、第３領域３Ｃに収容されている。インク３１は、インクカバー１７を本体部３に対して前方に引き出すことにより、第３領域３Ｃから取り出して交換可能となっている。
【００３１】
画像形成部３３は、図示しない搬送機構や画像形成機構等によって構成されている。画像形成部３３は、本体部３内において、第１領域３Ａの後方側に収容されている。これにより、画像形成部３３は、第１領域３Ａに給紙トレイ２７が収容されることで、給紙トレイ２７よりも後方に位置するようになっている（図６参照）。画像形成部３３は、給紙部２５や給紙トレイ２７から給紙されたシートＳＨに対し、インクジェット方式によって画像を形成する。なお、画像形成部３３は、レーザ方式等によってシートＳＨに画像を形成しても良い。
【００３２】
＜画像読取部の構成＞
図２に示すように、画像読取部５は本体部３の上部に設けられている。画像読取部５は、プラテンガラス５１と、読取センサ５３と、保持部材３５と、図３に示す第１〜４支持壁５５Ａ〜５５Ｄと、センサ室５７と、案内リブ５９とを有している。第１〜４支持壁５５Ａ〜５５Ｄは、本発明における「支持部材」の一例である。また、案内リブ５９は、本発明における「案内部」の一例である。
【００３３】
図２に示すように、プラテンガラス５１は左右方向及び前後方向に延びる矩形状に形成されている。図６に示すように、プラテンガラス５１は透明な板状であり、表面５１Ａと、表面５１Ａの反対側に位置する裏面５１Ｂとを有している。表面５１Ａには、画像の読み取りを行う媒体を載置可能となっている。なお、媒体としては、例えば原稿や書籍等が挙げられる。
【００３４】
読取センサ５３は、プラテンガラス５１の裏面５１Ｂ側に配置されている。読取センサ５３としては、ＣＩＳ（Ｃｏｎｔａｃｔ  Ｉｍａｇｅ  Ｓｅｎｓｏｒ）やＣＣＤ（Ｃｈａｒｇｅ  Ｃｏｕｐｌｅｄ  Ｄｅｖｉｃｅ）等の周知の画像読取センサが採用されている。読取センサ５３は、図示しない駆動装置によって、プラテンガラス５１に対して左右方向に移動可能となっている。これにより、読取センサ５３は、プラテンガラス５１に載置された媒体の画像を読み取ることが可能となっている。なお、図６では、プラテンガラス５１に対して最も左方に位置した際の読取センサ５３を実線で図示しており、プラテンガラス５１に対して最も右方に位置した際の読取センサ５３を仮想線で図示している。図４についても同様である。
【００３５】
図３に示すように、第１〜４支持壁５５Ａ〜５５Ｄは、上下方向に延びる板状に形成されている。第１〜４支持壁５５Ａ〜５５Ｄは、下部が第１本体１１の上壁１１Ａと一体をなしている。つまり、第１〜４支持壁５５Ａ〜５５Ｄは、上壁１１Ａから上方に向かって延びる形状となっている。
【００３６】
第１支持壁５５Ａは、上壁１１Ａにおいて左方に配置されており、上壁１１Ａの前端から後方に向かって延びている。より詳細には、第１支持壁５５Ａは、上壁１１Ａの前端から後方に向かって延びた後、左方に屈曲し、更に後方に向かって延びている。第２支持壁５５Ｂは、上壁１１Ａの右端に配置されており、第１支持壁５５Ａと対向している。第２支持壁５５Ｂは、上壁１１Ａの前端から後方に向かって直線状に延びている。第３支持壁５５Ｃは、上壁１１Ａの前端に配置されており、左右方向に直線状に延びている。第３支持壁５５Ｃは、左端で第１支持壁５５Ａの前端と接続しているとともに、右端で第２支持壁５５Ｂの前端と接続している。第４支持壁５５Ｄは、上壁１１Ａにおいて後方に配置されており、第３支持壁５５Ｃと対向している。第４支持壁５５Ｄは、左右方向に直線状に延びており、左端で第１支持壁５５Ａの後端と接続しているとともに、右端で第２支持壁５５Ｂの後端と接続している。
【００３７】
図６に示すように、第１〜４支持壁５５Ａ〜５５Ｄの各上端には、プラテンガラス５１が載置される。これにより、第１〜４支持壁５５Ａ〜５５Ｄは、下方からプラテンガラス５１を支持する。
【００３８】
センサ室５７は、図３に示すように、上壁１１Ａが第１〜４支持壁５５Ａ〜５５Ｄによって区画されることによって形成されており、第１〜４支持壁５５Ａ〜５５Ｄの内側に位置している。センサ室５７は略矩形状に形成されており、内部に読取センサ５３が配置される。これにより、読取センサ５３は、センサ室５７内において、左右方向に移動可能となっている。
【００３９】
案内リブ５９は、センサ室５７内に配置されている。案内リブ５９は、下部が上壁１１Ａと一体をなしており、上壁１１Ａから上方に向かって延びている。ここで、案内リブ５９の上下方向の長さは、第１〜４支持壁５５Ａ〜５５Ｄの上下方向の長さよりも短く設定されている。案内リブ５９は、センサ室５７内を左右方向に延びている。これにより、案内リブ５９は、左端で第１支持壁５５Ａと接続しており、右端で第２支持壁５５Ｂと接続している。案内リブ５９は、センサ室５７内に読取センサ５３が配置されることにより、読取センサ５３の下端と当接する。これにより、案内リブ５９は、センサ室５７内において、読取センサ５３を左右方向に案内することが可能となっている。
【００４０】
ここで、図６に示すように、この画像読取装置１では、本体部３内において、第１区画壁１３Ｂ及び第２区画壁１３Ｃが上壁１１Ａと当接している。そして、第１〜４支持壁５５Ａ〜５５Ｄ及び案内リブ５９は、上壁１１Ａと一体をなしている。これにより、第１〜４支持壁５５Ａ〜５５Ｄ及び案内リブ５９は、第１区画壁１３Ｂ及び第２区画壁１３Ｃの上側に位置している。そして、図７に示すように、第１支持壁５５Ａの下部は、上壁１１Ａを介して第１区画壁１３Ｂの上部と当接している。また、図８に示すように、案内リブ５９の一部、より具体的には、案内リブ５９における右方側の一部は、上壁１１Ａを介して第２区画壁１３Ｃの上部と当接している。また、図６に示すように、第１本体１１において、右側壁１１Ｃは、第２支持壁５５Ｂの下部に位置している。
【００４１】
図２、図４及び図６に示すように、保持部材３５は、第１本体１１の上壁１１Ａに固定されている。これにより、図６に示すように、保持部材３５は、プラテンガラス５１及び第１〜４支持壁５５Ａ〜５５Ｄを上方から覆っている。こうして、保持部材３５は、第１〜４支持壁５５Ａ〜５５Ｄとの間でプラテンガラス５１を挟持しつつ、プラテンガラス５１を保持している。また、図２及び図６に示すように、保持部材３５には、開口３５Ａが形成されている。保持部材３５は、開口３５Ａを通じてプラテンガラス５１を外部に露出させている。
【００４２】
＜カバー及び操作パネル部の構成＞
図１及び図２に示すように、カバー７は、本体部３の上部に配置されている。カバー７は、保持部材３５の後端に対し、開閉軸心Ｘ周りに揺動可能に連結されている。これにより、カバー７は、図１に示す第１位置と、図２に示す第２位置とに変位可能となっている。カバー７は、図１に示す第１位置に変位することにより、プラテンガラス５１、保持部材３５及びケーブル保持部１６を上方から覆うことが可能となっている。一方、カバー７は、図２に示す第２位置に変位することにより、プラテンガラス５１、保持部材３５及びケーブル保持部１６を上方に開放することが可能となっている。なお、図３以降では、説明を容易にするため、カバー７の図示を省略している。
【００４３】
操作パネル部９は、ケース９Ａと、複数の操作スイッチ９Ｂとを有している他、図示しない制御基板を有している。ケース９Ａは、略矩形状に形成されており、内部に制御基板を収容している。また、ケース９Ａには、コネクタ３７が設けられている。各操作スイッチ９Ｂは、ケース９Ａに設けられている。各操作スイッチ９Ｂは、制御基板を通じて画像読取装置１の操作を行うことが可能となっている。コネクタ３７には、例えばＵＳＢ（Ｕｎｉｖｅｒｓａｌ  Ｓｅｒｉａｌ  Ｂｕｓ）ケーブル等の接続ケーブルを接続可能となっている。これにより、この画像読取装置１は、コネクタ３７に接続された接続ケーブルを通じて、外部に設けられたパソコン等の情報処理装置と通信可能に接続される。なお、接続ケーブル及び情報処理装置の図示は省略する。また、ケース９Ａにおけるコネクタ３７の位置は適宜設計可能である他、コネクタ３７をケース９Ａ以外の箇所に設けることも可能である。
【００４４】
操作パネル部９は、ケース９Ａが図３に示す第１本体１１の固定部１５に固定される。これにより、図１及び図２に示すように、操作パネル部９は、本体部３の上部であって、本体部３の前面側かつ左端に設けられている。こうして、操作パネル部９は、図２に示すように、画像読取部５よりも左方に位置している。つまり、画像読取部５は、操作パネル部９が設けられる分、本体部３の上部において、左側壁１１Ｂから右方に離間している。なお、図６では、説明を容易にするため、操作パネル部９の図示を省略している。
【００４５】
＜画像読取動作＞
この画像読取装置１では、媒体の読み取りを行う場合、使用者は、カバー７を第２位置に変位させ、媒体をプラテンガラス５１の表面５１Ａに載置する。そして、使用者は、各操作スイッチ９Ｂを操作して読取センサ５３を作動させることで、センサ室５７内で読取センサ５３を左端から右端まで移動させる。これにより、読取センサ５３は、プラテンガラス５１に載置された媒体の画像を読み取る。こうして、媒体の画像の読み取りが完了する。このようにして、読取センサ５３が読み取りを行った媒体の画像は、以下で説明するように、画像形成部３３によってシートＳＨに形成することが可能である他、接続ケーブルを通じて情報処理装置に送信可能である。なお、媒体の画像の読み取りが完了することにより、読取センサ５３は、センサ室５７内の右端から左端まで移動する。
【００４６】
＜画像形成動作＞
画像形成部３３によってシートＳＨに画像を形成する場合、使用者は、給紙トレイ２７にシートＳＨを載置した状態で、給紙トレイ２７を本体部３内、つまり、第１領域３Ａに収容する。そして、使用者は、各操作スイッチ９Ｂを操作して、給紙トレイ２７及び画像形成部３３を作動させる。これにより、給紙トレイ２７は、載置されたシートＳＨを画像形成部３３に給紙する。こうして、画像形成部３３は、搬送機構によってシートＳＨを搬送しつつ、読取センサ５３が読み取りを行った媒体の画像を画像形成機構によってシートＳＨに形成する。また、この画像読取装置１では、使用者が給紙部２５にシートＳＨを載置することにより、画像形成部３３は、給紙部２５から給紙されたシートＳＨに対して画像を形成する。こうして、画像形成部３３によって画像が形成されたシートＳＨは、排出口２１から排出される。これにより、画像形成動作が完了する。なお、画像形成部３３は、接続ケーブルを通じて情報処理装置から送信された画像をシートＳＨに形成することも可能である。
【００４７】
＜作用効果＞
この画像読取装置１では、画像の読み取りを行うに当たり、使用者がプラテンガラス５１に載置された媒体を上方から押圧すれば、図７の白色矢印で示すように、プラテンガラス５１には、使用者の押圧力Ｆによって、局所的な力が加わることになる。ここで、この画像読取装置１では、本体部３内において、第１区画壁１３Ｂが第１本体１１の上壁１１Ａと当接することにより、第１支持壁５５Ａの下部が上壁１１Ａを介して第１区画壁１３Ｂの上部と当接している。
【００４８】
これにより、この画像読取装置１では、プラテンガラス５１に加わる押圧力Ｆは、プラテンガラス５１から、第１〜４支持壁５５Ａ〜５５Ｄを経て第１区画壁１３Ｂに伝達する。こうして、第１〜４支持壁５５Ａ〜５５Ｄ及び第１区画壁１３Ｂ、すなわち、第１〜４支持壁５５Ａ〜５５Ｄ及び本体部３は、プラテンガラス５１に加わる押圧力Ｆを好適に受け止めることができる。このため、この画像読取装置１では、媒体の画像の読み取りを行う際の使用者の押圧力Ｆによってプラテンガラス５１に局所的な力が加わっても、プラテンガラス５１を含め画像読取部５に撓みが生じ難くなっている。
【００４９】
したがって、実施例１の画像読取装置１では、画像読取部５が媒体の画像を精度高く読み取り可能である。
【００５０】
また、この画像読取装置１では、第１本体１１において、右側壁１１Ｃが第２支持壁５５Ｂの下部に位置しているため、プラテンガラス５１に加わる押圧力Ｆは、第１〜４支持壁５５Ａ〜５５Ｄから右側壁１１Ｃにも伝達する。この点においても、第１〜４支持壁５５Ａ〜５５Ｄ及び本体部３は、プラテンガラス５１に加わる押圧力Ｆを好適に受け止めることが可能となっている。
【００５１】
また、この画像読取装置１では、第２本体１３が第２区画壁１３Ｃを有しており、第２区画壁１３Ｃも第１区画壁１３Ｂと同様、第１本体１１の上壁１１Ａと当接する。これにより、この画像読取装置１では、案内リブ５９における右方側が上壁１１Ａを介して第２区画壁１３Ｃの上部と当接している。これにより、第２区画壁１３Ｃは、案内リブ５９を好適に支持することが可能となっている。このため、図８の白色矢印で示すように、プラテンガラス５１に押圧力Ｆが加わった場合でも、案内リブ５９に撓みが生じ難くなっている。これにより、この画像読取装置１では、読取センサ５３がセンサ室５７内を左右方向に移動する際、案内リブ５９は、読取センサ５３を好適に案内することが可能となっている。
【００５２】
また、この画像読取装置１では、第２本体１３において、第１区画壁１３Ｂと第２区画壁１３Ｃとは、第１接続壁１３Ｄ及び第２接続壁１３Ｅによって、左右方向に接続されている。これにより、この画像読取装置１では、第１区画壁１３Ｂ及び第２区画壁１３Ｃの剛性が高くなっている。このため、第１区画壁１３Ｂ及び第２区画壁１３Ｃは、プラテンガラス５１に加わる押圧力Ｆを好適に受け止めることが可能となっている。
【００５３】
また、この画像読取装置１では、給紙トレイ２７及び画像形成部３３を有しているため、媒体の画像の読み取りだけでなく、シートＳＨに画像を形成することも可能となっている。このため、この画像読取装置１では、利便性が高くなっている。さらに、画像形成部３３は、第１領域３Ａにおいて、後方側に配置されている。このため、この画像読取装置１では、第１領域３Ａにおいて、給紙トレイ２７を画像形成部３３の前方側に収容することが可能となっている。こうして、この画像読取装置１では、本体部３内のスペースを有効に利用することで、給紙トレイ２７及び画像形成部３３を有しても、本体部３が大型化することを抑制することが可能となっている。
【００５４】
また、この画像読取装置１では、本体部３の下端に第１〜４支持脚２３Ａ〜２３Ｄが設けられている。このため、第１〜４支持脚２３Ａ〜２３Ｄが弾性変形することにより、プラテンガラス５１に加わる押圧力Ｆを好適に受け止めることが可能となっている。特に、第２、３支持脚２３Ｂ、２３Ｃは、それぞれ第１、２区画壁１３Ｂ、１３Ｃの近傍に位置している。このため、第２、３支持脚２３Ｂ、２３Ｃは、第１、２区画壁１３Ｂ、１３Ｃに伝達した押圧力Ｆを好適に受け止めることが可能となっている。
【００５５】
以上において、本発明を実施例に即して説明したが、本発明は上記実施例に制限されるものではなく、その趣旨を逸脱しない範囲で適宜変更して適用できることはいうまでもない。
【００５６】
例えば、実施例の画像読取装置１では、第１本体１１の上壁１１Ａに第１〜４支持壁５５Ａ〜５５Ｄ及び案内リブ５９を一体に形成している。しかし、これに限らず、第１本体１１と、第１〜４支持壁５５Ａ〜５５Ｄ及び案内リブ５９とを別体に形成しても良い。
【００５７】
また、実施例の画像読取装置１では、第２本体１３において、第１区画壁１３Ｂと第２区画壁１３Ｃとが底壁１３Ａに一体に形成されている。しかし、これに限らず、第１区画壁１３Ｂと第２区画壁１３Ｃとは、底壁１３Ａとは別体に形成されていても良い。
【００５８】
さらに、実施例の画像読取装置１では、第２領域３Ｂに電源装置２９が収容され、第３領域３Ｃにインク３１が収容されている。しかし、これに限らず、第２領域３Ｂにインク３１を収容し、第３領域３Ｃに電源装置２９を収容しても良い。また、第２領域３Ｂや第３領域３Ｃに対し、画像読取装置１における他の部材を収容しても良い。
【００５９】
また、第２本体１３において、第１区画壁１３Ｂ及び第２区画壁１３Ｃに加えて、上下方向に延びる区画壁を更に設けても良い。
【００６０】
さらに、第２本体１３において、第１区画壁１３Ｂと第２区画壁１３Ｃとは、第１接続壁１３Ｄのみ又は第２接続壁１３Ｅのみによって、左右方向に接続されても良い。また、第２本体１３において、第１接続壁１３Ｄ又は第２接続壁１３Ｅに加えて、第１区画壁１３Ｂと第２区画壁１３Ｃとを左右方向に接続する接続壁等を設けても良い。
【産業上の利用可能性】
【００６１】
本発明は例えば、画像読取装置又は複合機等に利用可能である。
【符号の説明】
【００６２】
１…画像読取装置、３…本体部、
５１…プラテンガラス、５５Ａ〜５５Ｄ支持部材（第１〜４支持壁）
５…画像読取部、１３Ｂ…第１区画壁、５３…読取センサ
５９…案内部（案内リブ）、１３Ｃ…第２区画壁
１３Ｄ、１３Ｅ…接続部材（１３Ｄ…第１接続壁、１３Ｅ…第２接続壁）
ＳＨ…シート、３３…画像形成部、３Ａ…領域（第１領域）
２７…シート給紙部（給紙トレイ）
【図１】
2020162074.tif 000003
【図２】
2020162074.tif 000004
【図３】
2020162074.tif 000005
【図４】
2020162074.tif 000006
【図５】
2020162074.tif 000007
【図６】
2020162074.tif 000008
【図７】
2020162074.tif 000009
【図８】
2020162074.tif 000010